(57)【要約】【課題】商品価値や美観を高めることができ、操作性の向上や筐体の小型化を図る上で有利な開閉蓋機構および光ディスク装置を提供する。【解決手段】開閉蓋機構１２４は、蓋板１０、支持機構１２、駆動手段などを備えて構成される。支持機構１２は、蓋板１０の裏面１００２と筐体のフレームとにわたって設けられ、蓋板１０で操作部１３６を覆う閉塞位置（イ）と蓋板１０を操作部１３６から離間させ操作部１３６を開放する開放位置（ニ）との間で蓋板１０を開閉可能に支持している。【選択図】　　　　図１
2004086941.tif 000002
【特許請求の範囲】
【請求項１】
筐体の前面の操作部を開閉する開閉蓋機構であって、
前記操作部を覆う形状の蓋板と、
前記蓋板と筐体とにわたって設けられ、前記蓋板で前記操作部を覆う閉塞位置と前記蓋板を操作部から離間させ操作部を開放する開放位置との間で前記蓋板を開閉可能に支持する支持機構と、
前記支持機構を駆動する駆動手段とを備え、
前記支持機構は前記駆動手段により駆動されることで、前記閉塞位置で前記筐体の外側に臨む前記蓋板の表面を前記筐体の前方に臨ませつつかつ前記蓋板の表面を前記操作部に向けつつ傾動しながら前記蓋板を前記閉塞位置から前記開放位置に移動させるように構成されている、
ことを特徴とする開閉蓋機構。
【請求項２】
光ディスクを回転駆動する駆動手段と、
前記駆動手段によって回転駆動する光ディスクに対し、光を照射し、前記光ディスクからの反射光を検出する光ヘッドと、
前記駆動手段および光ヘッドを収容しその前面に操作部が設けられた筐体とを有し、
前記操作部から前記光ディスクの挿脱を行なうように構成され、
前記操作部を開閉する開閉蓋機構が設けられた光ディスク装置において、
前記開閉蓋機構は、
前記操作部を覆う形状の蓋板と、
前記蓋板と筐体とにわたって設けられ、前記蓋板で前記操作部を覆う閉塞位置と前記蓋板を操作部から離間させ操作部を開放する開放位置との間で前記蓋板を開閉可能に支持する支持機構と、
前記支持機構を駆動する駆動手段とを備え、
前記支持機構は前記駆動手段により駆動されることで、前記閉塞位置で前記筐体の外側に臨む前記蓋板の表面を前記筐体の前方に臨ませつつかつ前記蓋板の表面を前記操作部に向けつつ傾動しながら前記蓋板を前記閉塞位置から前記開放位置に移動させるように構成されている、
ことを特徴とする光ディスク装置。
【請求項３】
前記支持機構による前記蓋板の前記閉塞位置から前記開放位置への移動は、前記蓋板の表面を前記筐体の前方に臨ませつつ、かつ、筐体の前方に対して次第に斜め上向きになるように傾動しつつ下方に移動することで行なわれることを特徴とする請求項１記載の開閉蓋機構または請求項２記載の光ディスク装置。
【請求項４】
前記支持機構は、前記閉塞位置において前記蓋板の表面を前記筐体の前方に対面させ、かつ、前記開放位置において前記操作部の下方で前記蓋板の表面を斜め上方に向けた状態にさせるように構成されていることを特徴とする請求項１記載の開閉蓋機構または請求項２記載の光ディスク装置。
【請求項５】
前記蓋板は上下方向の高さと、この高さよりも大きな寸法の左右方向の幅とを有し、前記支持機構は、前記蓋板の左右にそれぞれ配設された四節リンク機構により構成されていることを特徴とする請求項１記載の開閉蓋機構または請求項２記載の光ディスク装置。
【請求項６】
前記蓋板は上下方向の高さと、この高さよりも大きな寸法の左右方向の幅とを有し、前記支持機構は、前記蓋板の左右にそれぞれ配設された四節リンク機構により構成され、前記四節リンク機構は、蓋板と筐体との間に設けられた第１アームと第２アームを含んで構成され、前記第１アームと第２アームの筐体への枢着箇所は、前記開放位置における前記蓋板の後方に位置していることを特徴とする請求項１記載の開閉蓋機構または請求項２記載の光ディスク装置。
【請求項７】
前記操作部は、操作ボタン、ディスク挿入口を含んで構成されていることを特徴とする請求項１記載の開閉蓋機構または請求項２記載の光ディスク装置。
【請求項８】
前記駆動手段は、前記支持機構が連結された前記筐体箇所に配置されていることを特徴とする請求項１記載の開閉蓋機構または請求項２記載の光ディスク装置。
【発明の詳細な説明】
【０００１】
【発明の属する技術分野】
本発明は開閉蓋機構および光ディスク装置に関する。
【０００２】
【従来の技術】
例えば、光ディスク装置などの電子機器において、該電子機器の筐体の前面に設けられた操作部に対して蓋板が開閉可能に取付けられた構成のものがある。
前記蓋板は、周知のヒンジ機構、あるいは、スライド機構によって前記操作部を閉塞する位置と、操作部を開放する位置とに揺動あるいはスライド移動可能となるように構成されている。
【０００３】
【発明が解決しようとする課題】
しかしながら、このように蓋板をヒンジ機構やスライド機構によって開閉可能に設けた構造では、蓋板の移動軌跡が単純であるため、電子機器の高級感を高める上で不利であった。
また、ヒンジ機構やスライド機構が筐体の外部から見えるため、電子機器の美観を高める上で不利であった。
また、蓋板がヒンジ機構がヒンジ機構やスライド機構で開閉される構造では蓋板が開いた状態で操作部の近くに位置しているため、操作部の操作を行なう上で邪魔になっていた。
また、ヒンジ機構やスライド機構が筐体のスペースを占有するため、電子機器の小型化を図る上で不利であった。
本発明は、このような実状に鑑みてなされたものであり、その目的とするところは、商品価値や美観を高めることができ、操作性の向上や筐体の小型化を図る上で有利な開閉蓋機構および光ディスク装置を提供することにある。
【０００４】
【課題を解決するための手段】
本発明は、前記目的を達成するため、筐体の前面の操作部を開閉する開閉蓋機構であって、前記操作部を覆う形状の蓋板と、前記蓋板と筐体とにわたって設けられ、前記蓋板で前記操作部を覆う閉塞位置と前記蓋板を操作部から離間させ操作部を開放する開放位置との間で前記蓋板を開閉可能に支持する支持機構と、前記支持機構を駆動する駆動手段とを備え、前記支持機構は前記駆動手段により駆動されることで、前記閉塞位置で前記筐体の外側に臨む前記蓋板の表面を前記筐体の前方に臨ませつつかつ前記蓋板の表面を前記操作部に向けつつ傾動しながら前記蓋板を前記閉塞位置から前記開放位置に移動させるように構成されていることを特徴とする。
また、本発明は、光ディスクを回転駆動する駆動手段と、前記駆動手段によって回転駆動する光ディスクに対し、光を照射し、前記光ディスクからの反射光を検出する光ヘッドと、前記駆動手段および光ヘッドを収容しその前面に操作部が設けられた筐体とを有し、前記操作部から前記光ディスクの挿脱を行なうように構成され、前記操作部を開閉する開閉蓋機構が設けられた光ディスク装置において、前記開閉蓋機構は、前記操作部を覆う形状の蓋板と、前記蓋板と筐体とにわたって設けられ、前記蓋板で前記操作部を覆う閉塞位置と前記蓋板を操作部から離間させ操作部を開放する開放位置との間で前記蓋板を開閉可能に支持する支持機構と、前記支持機構を駆動する駆動手段とを備え、前記支持機構は前記駆動手段により駆動されることで、前記閉塞位置で前記筐体の外側に臨む前記蓋板の表面を前記筐体の前方に臨ませつつかつ前記蓋板の表面を前記操作部に向けつつ傾動しながら前記蓋板を前記閉塞位置から前記開放位置に移動させるように構成されていることを特徴とする。
そのため、本発明によれば、閉塞位置で筐体の外側に臨む蓋板の表面を筐体の前方に臨ませつつかつ蓋板の表面を前記操作部に向けつつ傾動させながら蓋板を前記閉塞位置から前記開放位置に移動させる。
【０００５】
【発明の実施の形態】
以下、本発明による開閉蓋機構および光ディスク装置の実施の形態を図面に基づいて詳細に説明する。
図２は、本発明の第１の実施の形態における光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、ディスクトレイ１１８、トレイ駆動手段１２０、ＩＣカードインターフェース１２２、開閉蓋機構１２４、制御部１２６などを備えて構成されている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【０００６】
前記信号処理部１１０は、信号の変調、復調及びＥＣＣ（エラー訂正符号）の付加などの処理を行う。この信号処理部１１０の指令に従って、前記光ヘッド１０４による前記記録、再生が行われる。
前記インターフェース部１１２は、前記信号処理部１１０から供給される復調された再生信号を前記光ディスク装置１００の外部に送出するように構成されている。
前記操作手段１１４は、前記光ディスク装置１００に対する操作を行なうためのものであり、後述するようにタッチスイッチや操作ボタンなどを有して構成されている。
前記表示手段１１６は、前記光ディスク装置１００の動作状態を表示するためのものであり、ＬＥＤランプや文字表示器などを有して構成されている。
前記ディスクトレイ１１８は、光ディスク装置１００の筐体の外部と内部の間で光ディスク１０１の移動を行なうように構成されている。
前記トレイ駆動手段１２０は、前記ディスクトレイ１１８を駆動するように構成されている。
前記ＩＣカードインターフェース１２２は、前記光ディスク装置１００が動作を行なう上で必要となるデータを光ディスク装置１００に挿入されたＩＣカード１２１から読み取るように構成されている。
前記開閉蓋機構１２４は、後述する蓋板１０、支持機構１２、駆動手段１４などを備えて構成されている。
前記制御部１２６は、上述したスピンドルモータ１０２、サーボ制御部１０８、信号処理部１１０、インターフェース部１１２、操作部１１４、表示部１１６、トレイ駆動手段１２０、ＩＣカードインターフェース１２２、開閉蓋機構１２４の制御を司るものである。
なお、本実施の形態では前記光ディスク装置が記録および再生の双方の動作を行なうものとして説明するが、本発明は前記光ディスク装置が記録および再生の少なくとも一方を行なうように構成されたものであればよい。
【０００７】
図３は本発明の実施の形態における光ディスク装置の蓋板が閉塞された状態を示す斜視図、図４は光ディスク装置の開閉蓋が開放された状態を示す斜視図である。
図３、図４に示すように、光ディスク装置１００は、高さと、高さよりも大きな寸法の幅と長さを有する矩形板状の筐体１３０を有している。
前記筐体１３０の前面１３１は、上下方向の高さと、この高さよりも大きな寸法の左右方向の幅を有し、前面１３１には、表示部１３２、タッチスイッチ１３４、操作部１３６、前記蓋板１０が設けられている。
前記表示部１３２は、前記前面１３１の上部に幅方向に延在して設けられた光が透過可能な材料で構成されたカバー部材と、該カバー部材の内側に配設された前記表示手段１１６を構成する前記ＬＥＤランプや文字表示器とを含んで構成され、前記表示手段１１６を構成している。
前記タッチスイッチ１３４は、前記開閉蓋機構１２４を駆動するためのスイッチであり、前記表示部１３２の下部で前記前面１３１の前方に突出して幅方向に直線状に延在する凸条として形成されており、操作者の指が触れることでオンオフ動作するように構成され、前記操作手段１１４の一部を構成している。
前記操作部１３６は、図１に示すように、前記タッチスイッチ１３４の下方で、かつ、前記表示部１３２およびタッチスイッチ１３４よりも後方に偏位した箇所に配設されている。該操作部１３６には、前記操作手段１１４の他の部分を構成する複数個の操作ボタン１３８、前記ディスクトレイ１１８が出入するためのディスク挿入口１４０、前記ＩＣカード１２１を装着するためのＩＣカード挿入口１４２などが設けられている。
【０００８】
図５は開閉蓋機構１２４の構成を示す斜視図である。
前記開閉蓋機構１２４は、前述したように蓋板１０、支持機構１２、駆動手段１４などを備えて構成されている。
前記蓋板１０は前記操作部１３６を覆えるように上下方向の高さと、この高さよりも大きな寸法の左右方向の幅を有しており、本実施の形態では蓋板は筐体１３０の前面の左右方向のほぼ全域にわたって延在している。
【０００９】
前記操作部１３６の下方における筐体１３０の内部には板金製のフレーム１４０が設けられており、前記支持機構１２は、前記蓋板１０の裏面１００２と前記フレームとにわたって設けられ、前記蓋板１０で前記操作部１３６を覆う閉塞位置（イ）と前記蓋板１０を操作部１３６から離間させ操作部１３６を開放する開放位置（ニ）との間で前記蓋板１０を開閉可能に支持している。
本実施の形態において、前記支持機構１２は、前記蓋板１０の左右方向の両側にそれぞれ設けられた第１アーム１２０２と第２アーム１２０４とを備え、これら第１アームと第２アームと蓋板と筐体とにより四節リンク機構が構成され、この四節リンク機構の模式図を図８に示す。
図１に示すように、前記各第１アーム１２０２は屈曲部を有して構成され、第１アーム１２０２の長手方向の一端は支軸１２０６を介してフレーム１４０に枢支され、他端は支軸１２０８を介して蓋板１０の裏面１００２に枢支されている。
図５に示すように、前記左右の第２アーム１２０４は前記左右の第１アーム１２０２の内側に配設され、前記左右の第２アーム１２０４は、長手方向の一端においてボス部１２１０により連結され、このボス部１２１０は前記蓋板１０の裏面１００２に支軸１２１２を介して枢支されている。前記左右の第２アーム１２０４の長手方向の他端は共通の支軸１２１４を介して前記フレーム１４０に枢支されている。
前記第１アーム１２０２と第２アーム１２０４の筐体１３０への枢着箇所、すなわち支軸１２０８、１２１２は、前記開放位置（ニ）における前記蓋板の後方に位置している。
【００１０】
前記支持機構１２により前記蓋板１０は、前記閉塞位置（イ）において、その表面１００１が前記筐体１３０の前方に対面し、また、前記開放位置（ニ）において前記蓋板１０は、その表面１００１を前記操作部１３６の下方箇所で筐体１３０の前方に向けかつ操作部１３６側に僅かに向けた状態、すなわち、表面１００１を斜め上方に向けた状態になるように構成されている。
また、支持機構１２により前記蓋板１０は、その表面１００１を筐体１３０の前方に対面させた状態から筐体１３０の前方および前記操作部１３６に向けつつ前記閉塞位置（イ）から前記開放位置（ニ）に傾動しながら移動されるように構成され、言い換えると、その表面１００１を筐体１３０の前方に臨ませつつかつ表面１００１を上方に向けつつ傾動しながら前記閉塞位置（イ）から前記開放位置（ニ）に移動されるように構成されている。また、筐体１３０の前方かつ操作部１３６に僅かに向けた表面１００１を筐体１３０の前方に向けつつ傾動しながら前記開放位置（ニ）から閉塞位置（イ）に移動されるように構成され、言い替えると、その表面１００１を斜め上方に向けた状態から次第に筐体１３０の前方に対面させるように傾動しつつ移動されるように構成されている。
そして、前記蓋板１０が閉塞位置（イ）に位置した状態で、前記支持機構１２の第１アーム１２０２、第２アーム１２０４、各支軸１２０８、１２１２は、蓋板１０の裏面１００２側に位置し、筐体１３０の前方から隠された状態となっている。
【００１１】
図６は駆動手段の構成を示す斜視図である。
前記駆動手段１４は前記フレーム１４０の一側に支持されることで配設され、モータ１４０２、ベルトプーリ機構１４０４、減速機構１４０５などで構成されている。
前記モータ１４０２は図５に示すようにフレーム１４０の側板に支持されている。
前記モータ１４０２の出力はベルトプーリ機構１４０４を介して減速機構１４０５へ伝達され、ベルとプーリ機構１４０４は、駆動プーリ１４０４Ａ、ベルト１４０４Ｂ、従動プーリ１４０４Ｃで構成されている。
前記減速機構１４０５は前記従動プーリ１４０４Ｃと一体に回転する第１小径ギア１４１０、この第１小径ギア１４１０に噛合する第２大径ギア１４１２、第２大径ギア１４１２と一体に回転する第３小径ギア１４１４、第３小径ギア１４１４に噛合する第４大径ギア１４１６、第４大径ギア１４１６と一体に回転する第５小径ギア１４１８、第５小径ギア１４１８に噛合する第６大径ギア１４２０、第６大径ギア１４２０と一体に回転する第７小径ギア１４２２、第７小径ギア１４２２に噛合する第８大径ギア１４２４、第８大径ギア１４２４と一体に回転する第９小径ギア１４２６、第９小径ギア１４２６に噛合し前記支軸１２１４と同軸上で第２アーム１２０４の端部に取着された従動ギア１４２８とで構成されている。
前記第２大径ギア１４１２、第３小径ギア１４１４、第６大径ギア１４２０、第７小径ギア１４２２は共通の支軸で支持され、前記従動プーリ１４０４Ｃ、だ１小径ギア１４１０、第４大径ギア１４１６、第５小径ギア１４１８、第９小径ギア１４２６は前記支軸とは別の共通の支軸で支持されている。
そして、モータ１４０２が正転することで前記第２アーム１２０４が支軸１２１４を中心として下方に揺動され、これにより前記蓋板１０が前記閉塞位置（イ）から開放位置（ニ）となり、モータ１４０２が逆転することで第２アーム１２０４が支軸１２１４を中心として上方に揺動されこれにより蓋板１０が開放位置（ニ）から閉塞位置（イ）に復帰するように構成されている。
【００１２】
なお、図７に示すように、前記１４１６に噛合可能にクラウンギア１４１７が配設され、前記クラウンギア１４１７は前記第４大径ギア１４１６から離れる方向に付勢されている。このクラウンギア１４１７は、電源が入らない場合やモータが故障した場合などにドライバＤによりクラウンギア１４１７を第４大径ギア１４１６に噛合させ、ドライバＤの操作により減速機構を介して第２アーム１２０２を揺動させ、前記蓋板１０を閉塞位置（イ）と開放位置（ニ）との間で移動できるようにしたものである。
【００１３】
次に、以上のように構成された光ディスク装置の開閉蓋機構１２４の作用について説明する。
まず、前記蓋板１０を閉塞位置（イ）から開放位置（ニ）に移動させる場合について説明する。
操作者が前記タッチスイッチ１３４に手を触れることにより、タッチスイッチ１３４がオン動作する。このオン動作に基いて前記制御部１２６は駆動手段１４のモータ１４０２を正転させる。
これにより、前記駆動手段１４は、前記支持機構１２を駆動させることにより、図１（Ｂ）に示すように、蓋板１０を前記閉塞位置（イ）から位置（ロ）、位置（ハ）を経由して開放位置（ニ）に移動させる。
前記蓋板１０が開放位置（ニ）に位置することにより、操作部１３６の全域が筐体１３０の前方に開放されるので、操作者は操作部１３６の操作ボタン１３８を操作することにより、種々の操作を行なうことができる。
また、前記操作ボタン１３８の操作により前記ディスク挿入口１４０から前方に突出されたディスクトレイ１１８に光ディスク１０１を載せたり、あるいは、ディスクトレイ１１８から光ディスク１０１を取出したりすることができる。
また、前記ＩＣカード挿入口１４２に対して前記ＩＣカード１２１を装着したり、取出したりすることができる。
【００１４】
次に、前記蓋板１０を開放位置（ニ）から閉塞位置（イ）に移動させる場合について説明する。
操作者が前記タッチスイッチ１３４に手を触れることにより、タッチスイッチ１３４がオン動作する。このオン動作に基いて前記制御部１２６は駆動手段１４のモータ１４０２を逆転させる。
これにより、前記駆動手段１４は、前記支持機構１２を駆動させることにより、図１（Ｂ）に示すように、蓋板１０を前記開放位置（ニ）から位置（ハ）、位置（ロ）を経由して閉塞位置（イ）に移動させる。
前記蓋板１０が閉塞位置（イ）に位置することにより、操作部１３６の全域が蓋板１０によって閉塞される。
【００１５】
以上説明したように本実施の形態によれば、次のような効果を奏することができる。
閉塞位置（イ）で筐体１３０の外側に臨む蓋板１０の表面１００１を筐体１０３の前方に臨ませつつかつ蓋板１３０の表面１００１を前記操作部１３６に向けつつ傾動させながら蓋板１３０を前記閉塞位置（イ）から前記開放位置（ニ）に移動させるように構成したので、前記蓋板１０の移動軌跡が単純な円弧状の軌跡や直線状の軌跡とは異なった高級感のあるものとなり、光ディスク装置の商品価値を高める上で有利となる。
また、開放位置（ニ）にある蓋板１０が筐体１３０の下方で筐体１３０の前面１３１から前方に浮き上がったような形態として見えるので、蓋板１０による視覚的効果を高めることができる。
また、蓋板１０はその表面１００１を筐体１３０の前方に向けた状態で開放位置（ニ）と閉塞位置（イ）との間を移動するので、蓋板１０の裏面１００２に連結された支持機構１２部分は常に外部から見えることはなく、また、筐体１３０側に連結された支持機構１２部分は、蓋板１０の開放位置（ニ）において該蓋板１０の後方に位置しているので、筐体１３０に連結された支持機構１２部分も常に外部から見えることはなく、光ディスク装置１００の美観を高める上で有利となる。
また、前記蓋板１０が開放位置（ニ）に位置したとき、前記蓋板１０は前記操作部１３６の下方でその表面１００１を前記筐体１３０の前方に向け、かつ、その表面１００１を斜め上方に向けた状態になるので、該操作部１３６に近づけた手の邪魔にならず、操作部１３６に対する操作性を高める上で有利となる。
また、前記支持機構１２は操作部１３６の下方の筐体１３０の箇所に連結されているため、操作部１３６のスペースを広く確保することができ、筐体１３０の設計の自由度を高める上で有利となる。
また、蓋板１０をスライドさせたり、揺動させたりする機構に比較して支持機構１２および駆動手段１４の構成が単純で小型で済むため開閉扉機構１２４を小型化でき、ひいては筐体１３０の小型化を図る上で有利となる。
【００１６】
【発明の効果】
以上説明したように本発明によれば、商品価値や美観を高めることができ、操作性の向上や筐体の小型化を図る上で有利な開閉蓋機構および光ディスク装置を提供することができる。
【図面の簡単な説明】
【図１】（Ａ）は本発明の第１実施の形態における光ディスク装置の蓋板が閉塞位置にある状態を示す図、（Ｂ）は蓋板が開放位置にある状態を示す図である。
【図２】本発明の第１の実施の形態における光ディスク装置の構成を示すブロック図である。
【図３】本発明の第１の実施の形態における光ディスク装置の蓋板が閉塞された状態を示す斜視図である。
【図４】本発明の第１の実施の形態における光ディスク装置の開閉蓋が開放された状態を示す斜視図である。
【図５】開閉蓋機構の構成を示す斜視図である。
【図６】駆動手段の構成を示す斜視図である。
【図７】駆動手段の一部を示す図である。
【図８】四節リンク機構の模式図である。
【符号の説明】
１０……蓋板、１２……支持機構、１４……駆動手段、１００……光ディスク装置、１２４……開閉蓋機構、１３０……筐体、１３１……前面、１３６……操作部。
【図１】
2004086941.tif 000003
【図２】
2004086941.tif 000004
【図３】
2004086941.tif 000005
【図４】
2004086941.tif 000006
【図５】
2004086941.tif 000007
【図６】
2004086941.tif 000008
【図７】
2004086941.tif 000009
【図８】
2004086941.tif 000010